(57)【要約】【課題】微量検体の測定完了を早急に把握することができる検体分析装置を提供する。【解決手段】通常の検体と、この検体の量よりも少ない量の微量検体とを測定可能な検体分析装置。検体容器から検体を吸引し、測定する測定部と、測定対象が微量検体であることを認識し得る認識手段と、測定完了の報知を実行する報知部と、微量検体であると認識された検体の測定が完了すると、測定完了の報知を実行するよう前記報知部を制御し得る制御部とを備える。【選択図】      図２
2015049063.tif 000002
【特許請求の範囲】
【請求項１】
通常の検体と、この検体の量よりも少ない量の微量検体とを測定可能な検体分析装置であって、
検体容器から検体を吸引し、測定する測定部と、
測定対象が微量検体であることを認識し得る認識手段と、
測定完了の報知を実行する報知部と、
微量検体であると認識された検体の測定が完了すると、測定完了の報知を実行するよう前記報知部を制御し得る制御部と
を備える検体分析装置。
【請求項２】
ユーザーによる微量検体の指定を受け付ける指定受付手段を更に備えており、
前記認識手段は、前記指定受付手段により指定された微量検体を認識する、請求項１に記載の検体分析装置。
【請求項３】
前記制御部は、微量検体であると認識された検体について、通常の検体よりも少ない量の検体を検体容器から吸引して測定を実行するよう前記測定部を制御する、請求項１又は２に記載の検体分析装置。
【請求項４】
前記制御部は、通常の検体については、少なくとも初検及び再検が可能な量の検体を検体容器から吸引し、微量検体と認識された検体については、初検は可能であるが再検が不可能な量の検体を検体容器から吸引するよう前記測定部を制御する、請求項１〜３のいずれか１項に記載の検体分析装置。
【請求項５】
前記制御部は、複数の測定項目を測定することが要求されている微量検体について、全ての測定項目の測定が完了したときに測定完了の報知を実行するよう前記報知部を制御する、請求項１〜４のいずれか１項に記載の検体分析装置。
【請求項６】
他の検体に優先して測定結果が必要な緊急検体の指定を受け付ける緊急指定受付手段を更に備えており、
前記制御部は、緊急検体であると指定された検体の測定が完了すると、測定完了の報知を実行するよう前記報知部を制御する、請求項１〜５のいずれか１項に記載の検体分析装置。
【請求項７】
前記報知部による報知に関する条件の設定を受け付ける報知条件設定手段を更に備える、請求項１〜６のいずれか１項に記載の検体分析装置。
【請求項８】
前記報知条件設定手段は、測定完了の報知を実行するタイミングについて、微量検体の測定が完了する度に測定完了の報知を実行する第１の設定と、微量検体が収容された検体容器を含む複数の検体容器が搭載されたラックの全ての検体の測定が完了したときに測定完了の報知を実行する第２の設定とを受け付け可能である、請求項７に記載の検体分析装置。
【請求項９】
前記報知条件設定手段は、報知を実行する検体の種類に関する条件を受け付け可能である、請求項７又は８に記載の検体分析装置。
【請求項１０】
前記報知条件設定手段は、検体の種類に応じて異なる報知の設定を受け付け可能である、請求項９に記載の検体分析装置。
【請求項１１】
前記制御部は、前記報知条件設定手段によって微量検体に対して報知を実行するよう条件設定されている場合に、微量検体の測定完了の報知を実行する、請求項７〜１０のいずれか１項に記載の検体分析装置。
【請求項１２】
前記制御部は、通常検体であると認識された検体の測定が完了しても、測定完了の報知を実行させない、請求項１〜１１のいずれか１項に記載の検体分析装置。
【請求項１３】
前記報知手段は、音声を出力する音声出力手段、点灯手段、及び携帯端末への通知を行う通知手段の少なくとも１つを含む、請求項１〜１２のいずれか１項に記載の検体分析装置。
【請求項１４】
所定量の検体を吸引する通常モードと、通常モードよりも少ない量の検体を吸引する微量モードとで動作可能な検体分析装置であって、
検体容器から検体を吸引し、測定する測定部と、
測定完了の報知を実行する報知部と、
微量モードにおいて検体の測定が完了すると、測定完了の報知を実行するよう前記報知部を制御し得る制御部と
を備える検体分析装置。
【請求項１５】
種類の異なる検体を測定可能な検体分析装置であって、
検体容器から検体を吸引し、測定する測定部と、
測定対象の検体の種類を認識し得る認識手段と、
複数の方法による報知を実行可能な報知部と、
検体の測定が完了すると、前記報知部に、測定が完了した検体の種類に応じて異なる方法で測定完了の報知を実行させる制御部と
を備える検体分析装置。
【発明の詳細な説明】
【技術分野】
【０００１】
本発明は検体分析装置に関する。更に詳しくは、通常量の検体に加え、微量検体の測定が可能な検体分析装置に関する。
【背景技術】
【０００２】
従来、被験者の状態（傷病の程度など）を評価するために当該被験者から採取した血液や尿などの検体を測定・分析することが行われている。被験者の中には、例えば乳児や重病患者のように、微量の検体しか採取することができない被験者もいる。そこで、このような被験者にも対応できるように、通常量の検体に加え、微量検体の測定が可能な検体分析装置が種々提案されている（例えば、特許文献１参照）。
【先行技術文献】
【特許文献】
【０００３】
【特許文献１】特開２０１０−９６７７６号公報
【発明の概要】
【発明が解決しようとする課題】
【０００４】
ところで、検体検査では、得られた測定結果によっては、同じ検体に対して再測定が必要になることがある。そのため、検体検査では、複数回の測定が可能な量の検体を予め被験者から採取しておくことが通常である。
【０００５】
しかし、前述した乳児や重病患者などの場合、複数回の測定が可能な量の検体を採取することが難しく、一度にわずかな量の検体しか採取することができない。微量検体しか採取できない被験者について再測定が必要になると、当該被験者からあらためて検体を採取する必要がある。このため、微量検体しか採取できない被験者の場合、１回目の測定が完了し、再測定が不要であることが判明するまで当該被験者を施設内で待機させる施設もある。
【０００６】
施設内で長時間待機することは、乳児や重病患者などの被験者にとって負担となる。そこで、このような施設では、微量検体の測定結果を早急に把握し、再測定の要否を判断したいという要望があるが、従来の検体分析装置は、このような要望に応えるものではなかった。
【０００７】
本発明は、このような事情に鑑みてなされたものであり、微量検体の測定完了を早急に把握することができる検体分析装置を提供することを目的としている。
【課題を解決するための手段】
【０００８】
本発明の検体分析装置は、通常の検体と、この検体の量よりも少ない量の微量検体とを測定可能な検体分析装置であって、
検体容器から検体を吸引し、測定する測定部と、
測定対象が微量検体であることを認識し得る認識手段と、
測定完了の報知を実行する報知部と、
微量検体であると認識された検体の測定が完了すると、測定完了の報知を実行するよう前記報知部を制御し得る制御部と
を備える。
【０００９】
また、本発明の他の観点に係る検体分析装置は、所定量の検体を吸引する通常モードと、通常モードよりも少ない量の検体を吸引する微量モードとで動作可能な検体分析装置であって、
検体容器から検体を吸引し、測定する測定部と、
測定完了の報知を実行する報知部と、
微量モードにおいて検体の測定が完了すると、測定完了の報知を実行するよう前記報知部を制御し得る制御部と
を備える。
本発明の検体分析装置では、微量検体の測定が完了すると、報知部によって測定完了が報知されるので、ユーザーは当該測定完了を把握することができる。
【００１０】
また、本発明のさらに他の観点に係る検体分析装置は、種類の異なる検体を測定可能な検体分析装置であって、
検体容器から検体を吸引し、測定する測定部と、
測定対象の検体の種類を認識し得る認識手段と、
複数の方法による報知を実行可能な報知部と、
検体の測定が完了すると、前記報知部に、測定が完了した検体の種類に応じて異なる方法で測定完了の報知を実行させる制御部と
を備える。
本発明の検体分析装置では、検体の種類毎に異なる方法で測定完了が報知されるので、ユーザーは、いずれの種類の検体について測定が完了したかを把握することができる。
【発明の効果】
【００１１】
本発明の検体分析装置によれば、微量検体の測定完了を早急に把握することができる。
【図面の簡単な説明】
【００１２】
【図１】本発明の検体分析装置の一実施形態の斜視図である。
【図２】図１に示される検体分析装置の概略平面図である。
【図３】本発明の検体分析装置を用いた検体分析フローの一例の前半部である。
【図４】本発明の検体分析装置を用いた検体分析フローの一例の後半部である。
【図５】検体オーダ登録画面の一例を示す図である。
【図６】アラーム設定画面の一例を示す図である。
【図７】アラーム設定画面の一例を示す図である。
【図８】アラーム設定画面の一例を示す図である。
【図９】検体分析装置における制御部の構成を示す図である。
【発明を実施するための形態】
【００１３】
以下、添付図面を参照しつつ、本発明の検体分析装置の実施形態を詳細に説明する。図１は、本発明の一実施形態に係る検体分析装置１の斜視図であり、図２は、図１に示される検体分析装置１の概略平面図である。
【００１４】
〔装置の全体構成〕
まず、図１〜２を参照しつつ、検体分析装置１の全体構成を説明する。
検体分析装置１は、図１に示されるように、測定装置２と、測定装置２の前面側に配置された搬送装置３とにより構成されている。測定装置２は、筐体４内に収容されている。
【００１５】
測定装置２は、被験者から採取された検体と試薬とを混和して調製された試料を測定し、当該検体の成分を分析する機能を有する。測定装置２は、図２に示されるように、キュベット供給部１０と、検体分注部１１と、検体プレート設置部１２と、容器セット部１３〜１５と、試薬分注部１７と、キュベット移送部１８と、検出部１９と、制御部２０と、表示部２１とを含んでいる。
【００１６】
測定装置２は、搬送装置３から供給された検体から調製された試料に対して光学的な測定を行うことにより、当該検体に関する光学的情報を取得することが可能なように構成されている。本実施形態に係る検体分析装置１では、搬送装置３の検体容器Ｔから測定装置２のキュベット（反応容器）９内に分注された検体に対して光学的な測定が行われる。
【００１７】
キュベット供給部１０は、複数のキュベット９を収容しており、キュベット９を１つずつ順次所定位置に供給することが可能なように構成されている。
【００１８】
検体分注部１１は、検体を吸引及び吐出するピペット（吸引管）１１ａを備えており、図示しない移動機構によって検体吸引位置Ｐ１と検体分注位置Ｐ２とを含む所定領域を移動可能に構成されている。検体分注部１１は、搬送装置３の搬送路３１上の検体吸引位置Ｐ１に搬送された検体容器Ｔから、当該検体容器Ｔ内に収容された検体を吸引する。そして、検体分注位置Ｐ２に配置されたキュベット９に検体を分注（吐出）するように構成されている。また、検体分注部１１は、容器セット部１３にセットされた洗浄液容器５及び容器セット部１４にセットされた希釈液容器６から、それぞれ洗浄液及び希釈液を吸引するように構成されている。
【００１９】
検体プレート設置部１２には、複数の穴部（ウェル）を有する検体プレートＰが並べて設置されている。同一の検体について複数の分析項目が存在する場合（分析項目に応じて複数の試料を調製する場合）などには、検体分注部１１は、検体プレート設置部１２のウェルに複数回分の検体を分注しておき、そこから各分析項目分の検体分注を行うことが可能なように構成されている。
【００２０】
容器セット部１３及び１４は、装置の幅方向（Ｘ方向）中央部に配置されており、容器セット部１５は、検体分析装置１の正面（扉部４ａ側）に向かって左側（Ｘ２方向側）部分にまとめて配置されている。これらの容器は、容器上部の開口を介して試薬分注部１７又は検体分注部１１のピペット（１７ａ又は１１ａ）が内部に挿入され、内部に収容された液体が吸引される。
【００２１】
試薬分注部１７は、試薬を分注するピペット（吸引管）１７ａを備えており、図示しない移動機構によって容器セット部１５の上方（Ｚ１方向）及び試薬分注位置Ｐ３を含む領域を移動可能に構成されている。試薬分注部１７は、ピペット１７ａを用いて分注対象の試薬容器８から試薬を吸引し、試薬分注位置Ｐ３に配置されたキュベット９に試薬を分注（吐出）するように構成されている。また、検体分注部１１は、容器セット部１５にセットされた洗浄液容器７から、洗浄液を吸引するように構成されている。
【００２２】
キュベット移送部１８は、キュベット供給部１０によって供給されたキュベット９を取り出し、検体分注位置Ｐ２、試薬分注位置Ｐ３及び検出部１９などの各部へキュベット９を移送する機能を有する。キュベット移送部１８は、キュベット９を把持して移送可能なキャッチャ１８ａを備えており、図示しない移動機構によってキャッチャ１８ａを移動させることにより、キュベット９の取出し及び設置を行うほか、キュベット９内の検体と試薬との攪拌なども行う。
【００２３】
検出部１９は、検体に試薬を添加して調製された分析用試料の加温を行うとともに、分析用試料の光学的な測定を行うための機能を有している。この検出部１９は、キュベット９を挿入して設置可能な複数のキュベット載置穴１９ａを有する。キュベット載置穴１９ａに設置されたキュベット９内の試料は、図示しない加温機構によって所定温度に加温され、検体と試薬との反応が進行する。また、検出部１９は、光源部から光ファイバなどを介して導入される測定光がキュベット載置穴１９ａ内で試料に照射されるように構成されている。検出部１９は、試料に照射された光を受光する受光素子（図示せず）を内蔵し、受光素子により受光された光を検出することにより、受光量に応じた検出信号を出力する。
【００２４】
得られた検出信号は、制御部２０に出力される。制御部２０は、得られた検出信号に基づき、検体中の特定の物質の量や活性の度合いを分析するように構成されている。また、制御部２０は、筐体４の前面においてＸ１方向側に配置された表示部２１に分析結果を含む各種の画面表示を行うとともに、測定装置２の各部及び搬送装置３の動作制御を行う機能を有している。
【００２５】
搬送装置３は、検体を収容した複数（本実施形態では、最大で１０本）の検体容器Ｔが載置されたラックＲを測定装置２の検体吸引位置Ｐ１まで搬送することにより、測定装置２に検体を供給するように構成されている。搬送装置３は、ラックＲを測定装置２に搬送する搬送路３１を含んでいる。
【００２６】
搬送路３１は、横方向（Ｘ方向）に延びるように設けられ、Ｘ１方向側のラック供給部３１ａと、Ｘ２方向側のラック貯留部３１ｂとを接続している。検体容器Ｔを収容したラックＲはラック供給部３１ａにセットされる。ラック供給部３１ａは、セットされたラックＲを順次搬送路３１に供給する機能を有する。搬送路３１は、ラック供給部３１ａから供給されたラックＲを検体吸引位置Ｐ１に搬送する機能を有する。ラック貯留部３１ｂは、検体吸引済みの検体容器Ｔを収容したラックＲを搬送路３１から受け入れて貯留する機能を有する。
【００２７】
〔制御部の構成〕
図９は、検体分析装置１における制御部２０の構成を示す図である。
制御部２０は、パーソナルコンピュータからなり、本体部４００と表示入力部４１０から構成されている。本体部４００は、ＣＰＵ４０１と、ＲＯＭ４０２と、ＲＡＭ４０３と、ハードディスク４０４と、読出装置４０５と、入出力インターフェース４０６と、画像出力インターフェース４０７と、通信インターフェース４０８を有する。
【００２８】
ＣＰＵ４０１は、ＲＯＭ４０２に記憶されているコンピュータプログラムおよびＲＡＭ４０３にロードされたコンピュータプログラムを実行する。ＲＡＭ４０３は、ＲＯＭ４０２およびハードディスク４０４に記憶されているコンピュータプログラムの読み出しに用いられる。また、ＲＡＭ４０３は、これらのコンピュータプログラムを実行するときに、ＣＰＵ４０１の作業領域としても利用される。
【００２９】
ハードディスク４０４には、オペレーティングシステムおよびアプリケーションプログラムなど、ＣＰＵ４０１に実行させるための種々のコンピュータプログラムおよびコンピュータプログラムの実行に用いるデータがインストールされている。
【００３０】
読出装置４０５は、ＣＤドライブまたはＤＶＤドライブ等によって構成されており、記録媒体に記録されたコンピュータプログラムおよびデータを読み出すことができる。
【００３１】
入出力インターフェース４０６は、表示入力部４１０（表示部２１）から出力された信号を受け付ける。画像出力インターフェース４０７は、画像データに応じた映像信号を表示入力部４１０に出力する。表示入力部４１０は、画像出力インターフェース４０７から出力された映像信号をもとに画像を表示するとともに、表示入力部４１０の画面を介してユーザーから受け付けた指示を入出力インターフェース４０６に出力する。
【００３２】
〔検体分析フロー〕
つぎに前述した検体分析装置１を用いた検体分析フローの一例について説明する。図３及び４は、それぞれ検体分析フローの一例の前半部及び後半部を示している。
まずステップＳ１において、表示部２１に表示される検体オーダ登録画面を用いて検体の測定オーダの受付けが行われる。図５は、検体オーダ登録画面の一例を示している。この例の検体オーダ登録画面４０では、画面の上部にＰＴ、ＡＰＴＴなどの測定項目を表示する領域４１が配置され、画面の中央部に検体のラック上の位置、検体番号及び当該検体の測定項目を一覧表示する領域４２が配置されている。また、画面の下部には、「ラック番号入力」、「検体番号入力」などのメニューボタン４３や、「微量」などのチェックボックス４４が配設されている。図示例では、ラック番号０００００１の位置「０１」にある検体番号「１２」の微量検体について、「ＡＴ３」を測定するオーダが受け付けられている。
【００３３】
ついでステップＳ２において、検体分析装置１の制御部２０によって、ユーザーによる測定開始の指示が受け付けられたか否かが判断される。制御部２０は、測定開始の指示が受け付けられた（Ｙｅｓ）と判断すると、ステップＳ３へ処理を進める。
ついでステップＳ３において、制御部２０によって、測定対象の検体が微量検体であるとの指定が検体オーダ登録画面４０においてなされたか否かの判断が行われる。制御部２０は、微量検体であるとの指定がなされている（Ｙｅｓ）と判断するとステップＳ４へ処理を進め、微量検体であるとの指定がなされていない（Ｎｏ）と判断するとステップＳ１３へ処理を進める。
【００３４】
<微量検体の測定>
ステップＳ３において、測定対象の検体が微量検体の指定を受けていると判断されると、続くステップＳ４において、検体分注部１１は、搬送装置３の搬送路３１上の検体吸引位置Ｐ１に搬送された検体容器Ｔから検体をＸ１（このＸ１は後述する通常検体の場合の吸引量Ｘ２よりも少ない量である）μｌ吸引し、検体分注位置Ｐ２に配置されたキュベット９（キュベットａ）に分注する。このステップＳ４において、検体分注部１１が吸引する検体の量は、初検は可能であるが再検は不可能な量である。例えば、ＰＴを測定する場合、一回の測定に必要な検体の量は、通常検体と微量検体とで相違はなく同じ量である。具体的に、一回の測定に必要な検体の量は、通常８０〜１２０μｌである。通常検体であると、検体分注部１１は、検体容器Ｔから再検が可能な量（例えば、ＰＴを測定する場合は、１回の測定に必要な検体量の２倍にデッドボリューム（１６０μＬ）を加えた３２０〜４００μｌである）の検体を吸引する。しかし、微量検体は、そもそも多量の検体を採取することが困難な被験者から採取した検体である。したがって、一回の測定に必要な量よりわずかに多い量の検体しか採取されていない。このため、検体分注部１１により吸引される検体の量は、初検は可能であるが再検は不可能な量である。なお、「再検」には、リフレクト測定、再希釈測定及び再測定が含まれる。
【００３５】
ついでステップＳ５において、試薬分注部１７は、試薬容器８から試薬を吸引し、ステップＳ４の操作後にキュベット移送部１８によって試薬分注位置Ｐ３に移送されたキュベット９に試薬を添加する。
【００３６】
続くステップＳ６において、ステップＳ５において試薬が添加されたキュベット９はキュベット移送部１８により検出部１９に移送され、当該検出部１９において検体の光学的な測定が行われる。測定により得られる検出信号は制御部２０に出力される。
ステップＳ７において、制御部２０によって、得られた検出信号に基づいて検体中の特定物質の量や活性の度合いなどが分析される。
【００３７】
ついでステップＳ８において、制御部２０は、ステップＳ７において分析された測定結果を表示部２１に表示させる。
ついでステップＳ９において、制御部２０によって、アラームを発する対象検体として微量検体が指定されているか否かの判断が行われる。制御部２０は、アラームを発する対象検体として微量検体が指定されている（Ｙｅｓ）と判断するとステップＳ１０へ処理を進め、報知部２２（図２参照）を制御してアラームを発生させる。一方、制御部２０は、アラームを発する対象検体として微量検体が指定されていない（Ｎｏ）と判断すると処理を終了させる。
【００３８】
＜通常検体の測定＞
ステップＳ３において、測定対象の検体について微量検体であるとの指定がなされていない（Ｎｏ）と判断されると、ステップＳ１３へ進み、通常検体としての測定が行われる。ステップＳ１３において、検体分注部１１は、搬送装置３の搬送路３１上の検体吸引位置Ｐ１に搬送された検体容器Ｔから検体をＸ２（このＸ２は前述した微量検体の場合の吸引量Ｘ１より多い量である）μｌ吸引し、検体プレートＰのウェルに分注する。このステップＳ１３において、検体分注部１１が吸引する検体の量は再検が可能な量である。検体容器Ｔから吸引された検体は、キュベットに直接に分注される微量検体の場合と異なり、一旦検体プレートＰのウェルに分注される。検体プレートのウェルにはデッドボリュームが残留することがあるため、通常検体の場合の吸引量は、少なくとも（初検に必要な量）＋（再検に必要な量）＋（デッドボリューム）である。
【００３９】
続くステップＳ１４において、検体分注部１１は、ステップＳ１３で検体プレートのウェルに分注された検体の一部（一回の測定に必要な量）を検体分注位置Ｐ２に配置されたキュベット９（キュベットｂ）に分注する。
ついでステップＳ１５において、試薬分注部１７は、試薬容器８から試薬を吸引し、ステップＳ１４の後にキュベット移送部１８によって試薬分注位置Ｐ３に移送されたキュベット９に試薬を添加する。
【００４０】
続くステップＳ１６において、ステップＳ１５において試薬が添加されたキュベット９はキュベット移送部１８により検出部１９に移送され、当該検出部１９において検体の光学的な測定が行われる。測定により得られる検出信号は制御部２０に出力される。
ステップＳ１７において、制御部２０によって、得られた検出信号に基づいて検体中の特定物質の量や活性の度合いなどが分析される。
【００４１】
ついでステップＳ１８において、制御部２０は、ステップＳ１７で得られた分析結果に基づき、再測定が必要であるか否かの判断を行う。ステップＳ１８において、再測定が不要である（Ｎｏ）と判断されるとステップＳ２３へ進み、制御部２０は、ステップＳ１７において分析された測定結果を表示部２１に表示させる。一方、ステップＳ１８において、再測定が必要である（Ｙｅｓ）と判断されると、ステップＳ１９へ進み再測定が行われる。
【００４２】
ステップＳ１９では、ステップＳ１３において検体プレートＰのウェル（当該ウェルからはステップＳ１４において初検用の検体が吸引済みである）に分注しておいた検体の一部が検体分注部１１によって吸引され、キュベット９（初検時に用いたキュベットｂとは別のキュベットｃ）に分注される。
ついでステップＳ２０において、試薬分注部１７は、所定の試薬容器８から試薬を吸引し、ステップＳ１９の操作後にキュベット移送部１８によって試薬分注位置Ｐ３に移送されたキュベット９に試薬を添加する。
【００４３】
続くステップＳ２１において、ステップＳ２０において試薬が添加されたキュベット９はキュベット移送部１８により検出部１９に移送され、当該検出部１９において検体の光学的な測定が行われる。測定により得られる検出信号は制御部２０に出力される。
ついでステップＳ２２において、制御部２０によって、得られた検出信号に基づいて検体中の特定物質の量や活性の度合いなどが分析される。
ついでステップＳ２３において、制御部２０は、ステップ２２において分析された測定結果を表示部２１に表示させる。
【００４４】
＜アラームの設定について＞
上述の例では、微量検体の測定が完了したときに報知を実行する形態を例示しているが、アラーム（報知）に関する条件を種々設定できるように構成してもよい。かかる条件の設定は、例えば表示部２１に表示させた画面を用いて行うことができる。図６は、アラーム設定画面４５の一例を示している。この例では、アラームタイプ（鳴動音の種類）を選定することができるようになっており、画面例では、「タイプ１」の音が鳴動するように設定されている。また、図示例では、例えば洗浄液やキュベット９等の残量が所定量を下回った場合や、検体プレートＰの空きウェル数が所定数を下回った場合のように、装置による測定を直ちに停止させるほどではないがユーザーによる消耗品の交換など何らかの対応が必要になるエラーが発生したとき（警告エラー発生時）に発するアラームの方式を設定することができる。画面例では、ユーザーによる停止操作がなされるまで音が鳴り続ける「ループ再生」が設定されている。また、図示例では、例えば吸引異常が発生した場合、洗浄液やキュベット９の残量（残テスト数）が０になった場合、検体プレートＰの空きウェル数が所定数を下回った場合のように、装置による測定を直ちに停止させるエラーが発生したとき（測定停止エラー発生時）に発するアラームの方式を設定することができる。画面例では、音が鳴り続ける「ループ再生」が設定されている。
【００４５】
また、図６に示される例では、検体の測定が完了した場合（測定完了）にアラームを発生させるか否かを設定することができる。また、装置立上げ後に試料の加温部や試薬の冷却部の各温度が安定状態になった場合（温度安定待ち完了）にアラームを発生させるか否かを設定することができる。さらに、装置の稼働中に試薬の交換を行いたいときに、動作中の機器が待機状態に戻り、試薬交換が可能になったこと（中断移行完了）を知らせるか否かを設定することができる。以上の設定は所定のチェックボックス４６ａ〜４６ｃをクリックすることで行うことができる。なお、図６に示される画面例において、「再生」ボタンが操作されると、設定されたアラーム音がテスト再生される。
【００４６】
また、微量検体や緊急検体などの特定検体の鳴動条件をユーザーの希望に応じて種々選定可能とすることもできる。図６に示されるアラーム設定画面４５において、設定ボタン４７をクリックすると、図７に示される画面４８が表示部２１に表示され、ユーザーは、この画面４８に示されるような、特定検体の鳴動条件を設定することができる。図７に示される例では、アラームの「対象検体」、アラームの「鳴動タイミング」及びアラームの「鳴動条件」を設定することができる。図７の画面においてアラームが登録されると、「対象検体」において指定された検体について、「鳴動タイミング」において指定されたイベントが終了したとき、「鳴動条件」に合致した段階でアラームが鳴動する。図７に示される画面４８における追加ボタン４９又は編集ボタン５０をクリックすると、図８に示される画面５１が表示部２１に表示され、前記「対象検体」などを設定することができる。
【００４７】
対象検体としては、上述の実施形態において例示した「微量検体」以外に、さらなる測定や処置が必要であるため早急に測定結果を知る必要がある「緊急検体」や、精度管理のオーダが受け付けられたＱＣ（精度管理）オーダ検体などを例示することができる。
また、鳴動のタイミングとしては、検体容器Ｔからの検体の吸引が完了した時点でアラームを発する「吸引完了」、検体吸引済みの検体容器Ｔを収容したラックＲが搬送路３１からラック貯留部３１ｂに排出された時点でアラームを発する「ラック排出」、及び測定が完了し、分析結果がでた時点でアラームを発する「測定完了」などを例示することができる。
【００４８】
また、鳴動の条件としては、検体単位でアラームを発する「検体単位」と、ラックに搭載されたすべての検体容器Ｔについて測定が完了したときにアラームを発する「ラック単位」とがある。「ラック単位」を選択すると、「対象検体」に指定された検体を搭載したラックについて「鳴動タイミング」において指定されたイベントが終了したときにアラームが鳴動するように設定できる。また、その他の条件としては、「ログオンユーザー」、「時刻」、「鳴動時間」、「音のパターン」などを挙げることができる。「ログオンユーザー」とは、ユーザー名及びパスワードを入力することで、アラームを発してほしいユーザーだけにアラームを発するという条件設定である。「時刻」とは、アラームを発する時間帯設定のことであり、例えば一日のうちで、専門の技師が常駐する昼間の所定時間帯だけ、あるいは夜間の勤務時間帯だけアラームを発するといった条件設定である。「鳴動時間」とは、アラーム音を鳴動させる時間の長さの条件設定である。「音のパターン」とは、連続音、不連続音、強弱のついた音声など、発する音の種別に関する条件設定である。図８に示される鳴動条件は、微量検体について、検体ごとに、測定が完了した時点でアラームを発するというものである。
【００４９】
〔その他の変形例〕
なお、今回開示された実施の形態はすべての点において単なる例示であって制限的なものではないと考えられるべきである。本発明の範囲は、前記した意味ではなく、特許請求の範囲によって示され、特許請求の範囲と均等の意味及び範囲内のすべての変更が含まれることが意図される。
【００５０】
例えば、前述した実施形態では、検体オーダ登録画面上のチェックボックスをユーザーがチェックすることで測定対象の検体が微量検体であることが指定されており、この指定を受けて認識手段としての制御部は測定対象が微量検体であることを認識している。しかし、本発明は、これに限定されるものではなく、例えば検体容器や、当該検体容器を搭載するラックにバーコードなどの識別標識を付し、この識別標識をリーダなどで読み取ることで、測定対象が微量検体であることを認識することも可能である。あるいは、微量検体が収容される検体容器と、微量検体が収容される検体容器とで異なる種類の容器を用いるようにし、検体容器の種類を識別することで、微量検体か否かを識別してもよい。検体容器Ｔ内の検体量を光学センサやカメラによって検出することで、微量検体か否かを識別してもよい。
【００５１】
また、前述した実施形態では、測定項目が一つの場合を例にとって分析フローを説明したが、複数の測定項目を測定することが要求されている微量検体についても本発明を適用することができる。この場合は、すべての測定項目の測定が完了したときに測定完了の報知（アラーム）が発せられる。
また、前述した実施形態では、測定完了を知らせるアラームとして音声を出力しているが、アラームの方式としては、例えばランプの点灯や点滅により視覚的に報知してもよいし、また、ユーザーが所持する携帯端末へ通知してもよく、特に限定されるものではない。前述した実施形態では、微量検体について報知を実行する場合だけを例示したが、これに限らず、検体の種類に応じて異なる報知の設定を行うようにしてもよい。例えば微量検体の場合は連続音による報知とし、緊急検体の場合はランプの点滅による報知とすることができる。
【００５２】
また、前述した実施形態では、報知の対象検体として、微量検体以外に緊急検体やＱＣオーダ検体を例示しているが、本発明は、これらの検体以外にも、例えばキャリブレータ、マーク検体（ユーザーが任意に指定した検体）、コメント付き検体（ユーザーがコメントを入力した検体）、フラグあり検体（測定時に検体分析装置によってフラグが設定された検体）、エラー検体（測定時にエラーが発生した検体）、レビュー検体（再検の検体）などを報知の対象検体とすることができる。
【符号の説明】
【００５３】
１      検体分析装置
２      測定装置
３      搬送装置
９      キュベット
１０      キュベット供給部
１１      検体分注部
１７      試薬分注部
１８      キュベット移送部
１９      検出部
２０      制御部
２１      表示部
２２      報知部
Ｔ      検体容器
Ｒ      ラック
【図３】
2015049063.tif 000003
【図４】
2015049063.tif 000004
【図５】
2015049063.tif 000005
【図６】
2015049063.tif 000006
【図７】
2015049063.tif 000007
【図８】
2015049063.tif 000008
【図１】
2015049063.tif 000009
【図２】
2015049063.tif 000010
【図９】
2015049063.tif 000011